(57)【要約】【課題】  簡単な操作で、クレーン装置のアームの格納と連動してポストインナの回転ロックを行うことができる、クレーン装置を提供する。【解決手段】  アーム２０を揺動可能に支持したポスト１０を有するクレーン装置１において、ポストを筒状のポストアウタ１１とポストアウタ内で回転可能な筒状のポストインナ１２とから構成し、アームをブラケット２１を介してポストインナに連結し、ポストインナのポストアウタ内での回転をロックする回転ロック機構を備え、回転ロック機構がポストアウタ内にロック材４４を配設しており、ロック材がアームの倒伏動作に連動してポストアウタの内筒面に押し付けられる。【選択図】  図１
2006160436.tif 000002
【特許請求の範囲】
【請求項１】
アームを揺動可能に支持したポストを有するクレーン装置において、
上記ポストが、筒状のポストアウタと、該ポストアウタ内で回転可能な筒状のポストインナと、から構成され、
上記アームがブラケットを介して上記ポストインナに連結され、
上記ポストインナの上記ポストアウタ内での回転をロックする回転ロック機構が備えられ、
該回転ロック機構が上記ポストアウタ内に配設したロック材を有しており、
該ロック材が、上記アームの倒伏動作に連動して、上記ポストアウタの内筒面に押し付けられることを特徴とする、記載のクレーン装置。
【請求項２】
ポストと、該ポストに対して揺動可能に支持されるアームと、該アームの先端に取り付られたハンガー装置と、を備え、
上記ポストが、筒状のポストアウタと、該ポストアウタ内で回転可能な筒状のポストインナと、から構成され、
上記アームを取り付けたヒンジ部材が、上記ポストインナの上端部に取り付けられたブラケットに、回転可能に取り付けられていて、
上記ポストインナを上記ポストアウタ内で回転すると上記アームが左右方向に揺動し、上記ヒンジパイプを回転させると上記アームが上下方向に揺動する、クレーン装置において、
上記ポストインナのポストアウタ内での回転をロックする回転ロック機構を備え、
該回転ロック機構が上記ポストアウタ内に配設したロック材を有しており、
該ロック材が、上記アームの倒伏動作に連動して、上記ポストアウタの内筒面に押し付けられることを特徴とする、記載のクレーン装置。
【請求項３】
前記回転ロック機構が、前記ポストインナの上端に取り付けた蓋と、該蓋に形成した窓を介して前記ポストインナ内に出入りする第１凸部を備えた支持部材と、該支持部材の上記第１凸部に上端部を固定されていて前記ポストインナ内を貫通しているロッドと、該ロッドの下端部に取り付けられている前記ロック材と、前記ヒンジ部材に形成されていて上記支持部材に開設した凹部内を出入りする第２凸部と、を備え、
前記ポストインナの下端が所望の傾斜角度に設定されていて、前記ポストインナの下端と対向する前記ロック材の上部には、前記ポストインナの下端の傾斜角度と同じ角度の傾斜面が形成されており、
前記アームを立ち上げた状態から前記アームを徐々に倒すと、上記ヒンジ部材が回転して上記第２凸部が上記支持部材の凹部に入り込み、さらに前記アームを下げると上記第２凸部が上記支持部材を持ち上げ、
前記ロック材が、上記支持部材の上方向への移動に連動して、前記ポストインナの下端の傾斜に沿って前記ポストアウタの内筒面側に移動し、前記ポストアウタの内筒面に押し付けられることを特徴とする、請求項２に記載のクレーン装置。
【発明の詳細な説明】
【技術分野】
【０００１】
本発明は、例えば車両内に設置して、車椅子や荷物等の物品を吊下げて支持し、垂直または水平方向に移動させるクレーン装置に関し、特にポストの鉛直軸まわりの回転をクレーン装置格納状態時にロックするクレーン装置に関する。
【背景技術】
【０００２】
従来、車椅子を搭載可能な自動車等の車両においては、車椅子の使用者或いは補助者が自力により車椅子を車内に運んでいたが、近年では、クレーン装置が車内に装備されて、この装置の利用により使用者等に対する収納作業負担の軽減等が図られている。
【０００３】
クレーン装置として、例えば、図４に示すようなクレーン装置１００が知られている。このクレーン装置１００は、ベース１１０と、ベース１１０に立設したポスト１２０と、ヒンジ機構１３０を介してポスト１２０に揺動可能に支持されるアーム１４０と、アーム１４０の先端に取り付けたハンガー装置１５０と、を備えている。
【０００４】
ハンガー装置１５０にはモーターが内蔵されており、モーターが駆動してワイヤー１６０を巻回したリールを回転させることで、ワイヤー１６０の先端のフック１７０が昇降するようになっている。また、モーターに電気を供給するために、ポスト１２０及びアーム１４０内にワイヤーハーネス１８０が挿通してモーターに接続されている。なお、ワイヤーハーネス１８０の先端には電源との接続用プラグ１９０が取り付けられており、この接続用プラグ１９０は煙草着火器のソケット等に接続可能に構成されている。
【０００５】
ヒンジ機構１３０は、ポスト１２０の上部に設けたブラケット１３１と、このブラケット１３１に枢支されたヒンジピン１３２と、このヒンジピン１３２によりブラケット１３１に対して回転可能に支持されたヒンジパイプ１３３と、を備えている。このヒンジパイプ１３３にはアーム１４０が結合しており、ヒンジパイプ１３３の回転により、アーム１４０が上下方向に揺動する。
【０００６】
また、従来のクレーン装置では、図５に示すように、ヒンジピン１３２のまわりにアーム１４０の上下方向への揺動を規制する揺動ロック機構１３５が備えられている。
【０００７】
この揺動ロック機構１３５は、ヒンジピン１３２のまわりに回転するヒンジパイプ１３３に形成されたロック凹部１３３Ａ，１３３Ｂと、これらのロック凹部１３３Ａ，１３３Ｂと係合し得るようにブラケット１３１に支持されたロックレバー１３５Ａと、から構成されており、ロックレバー１３５Ａがロック凹部１３３Ａに係合することによりアーム１４０を持ち上げた使用状態にロックし、ロックレバー１３５Ａがロック凹部１３３Ｂに係合することによりアームを下げた格納状態にロックして、アーム１４０の上下方向の揺動が規制される。
【０００８】
なお、ロックレバー１３５Ａはブラケット１３１に設けた支軸１３５Ｂのまわりに回転可能に取り付けられ、ロックレバー１３５Ａの一端１３５Ａ１がヒンジパイプ１３３に圧接するようにコイルスプリング１３５Ｃにより付勢されている。
【０００９】
さらに、従来のクレーン装置１００では、アーム１４０が左右方向へ揺動可能に支持されている。アーム１４０の左右方向への揺動を可能とするために、ポスト１２０は、ベース１１０に固定される円筒状のポストアウタ１２１と、ポストアウタ１２１内に挿入された円筒状のポストインナ１２２とから構成され、ポストインナ１２２の上端がブラケット１３１の底面に固定されている。
【００１０】
そして、ポストインナ１２２がポストアウタ１２１内で回転することで、アーム１４０が左右に揺動できるようになっている。なお、ポストインナ１２２の回転を円滑にするために、ベアリング１２３，１２４が、ポストアウタ１２１の上端口と、ポストインナ１２２の下端部に対応するポストアウタ１２１の内周面とに、配設されている。
【００１１】
また、ポストインナ１２２から突設したネジ１２５がポストアウタ１２１に形成された溝１２６に案内支持されて、アーム１４０の左右方向の揺動範囲が規制されている。
【００１２】
さらに、ポストインナ１２２は、ポストアウタ１２１に装着した回転ロックノブ１２７の締め付け操作により、回転ロックノブ１２７の回転により先端のネジ１２７Ａがポストインナ１２２に当接することで、適宜、アーム１４０の水平方向の揺動をロックできるようになっている。
【００１３】
このように構成されるクレーン装置１００は、ベース１１０を車両のボディーやデッキフロアに固定して取り付けられて使用に供される。
【００１４】
この種のクレーン装置１００を用いて車外にある車椅子を車両のデッキフロアなどに積載する手順としては、アーム１４０を回転させて、アーム先端のハンガー装置１５０を車外の車椅子の上方位置に移動させる。そして、ハンガー装置１５０から吊り上げ用のワイヤー１６０を引き出して、ワイヤー先端のフック１７０に車椅子を掛ける。
【００１５】
次いで、ハンガー装置１５０内のモーターを駆動させて、引き出されたワイヤー１６０をリールに巻回させて車椅子を持ち上げる。所望の高さまで車椅子を持ち上げたら、モーターによるリールの回転を停止させ、その高さを維持した状態でアーム１４０を回転して車椅子を車内に入れる。そして、モーターによってリールを逆回転させてワイヤー１６０をハンガー装置１５０から引き出し、車椅子を徐々に下げて、デッキフロアに車椅子を着地させる。
【００１６】
車椅子がデッキフロアに着地したらモーターの回転を停止させて、フック１７０を車椅子から外す。そして、モータを回転させてリールにワイヤー１６０を巻回させ、ワイヤー１６０をハンガー装置１５０に収容する。一方、デッキフロアに取り付けられているベルト等の固定手段を用いて、車椅子をデッキフロアに固定させることで、車椅子の積載作業が完了する。
【００１７】
そして、クレーン装置１００の使用が終了したら、図６に示すように、アーム１４０をポスト１２０側に倒伏させると共に、ポストアウタ１２１に装着した回転ロックノブ１２７を回転して、ネジ１２７Ａをポストインナ１２２に当接させる。このようにして、クレーン装置１００を格納する。
このようなクレーン装置が特許文献１に開示されている。
【特許文献１】特開２００１−１９３６２号公報
【発明の開示】
【発明が解決しようとする課題】
【００１８】
しかしながら、特許文献１に示されるようなクレーン装置１００においては、格納状態時に、ポストインナ１２２が回転ロックノブ１２７のネジ１２７Ａの点接触によりロックされているため、ポストインナ１２２を回転させるような強い力が働いた場合にはポストインナ１２２の回転を止めることはできなかった。ポストインナ１２２の回転を確実に防止するためには、大きな力で回転ロックノブ１２７を回転させて、ネジ１２７Ａをポストインナ１２２に当接する必要があり、力の弱い作業者には大きな負担となる。また、クレーン装置１００の格納作業も、アーム１４０の折り畳みとポストインナ１２２の回転ロックとを別々に行う必要があるので、煩雑であった。
【００１９】
そこで、本発明は、このような事情を鑑みて創作されたものであり、簡単な操作で、クレーン装置のアームの格納と連動してポストインナの回転ロックを行うことができる、クレーン装置を提供することを目的とする。
【課題を解決するための手段】
【００２０】
上記目的を達成するために、本発明は、アームを揺動可能に支持したポストを有するクレーン装置において、ポストが、筒状のポストアウタとポストアウタ内で回転可能な筒状のポストインナとから構成され、アームがブラケットを介してポストインナに連結され、ポストインナのポストアウタ内での回転をロックする回転ロック機構が備えられ、回転ロック機構がポストアウタ内に配設したロック材を有しており、ロック材が、アームの倒伏動作に連動して、ポストアウタの内筒面に押し付けられることを特徴としている。
【００２１】
さらに、上記目的を達成するために、本発明は、ポストと、ポストに対して揺動可能に支持されるアームと、アームの先端に取り付られたハンガー装置と、を備え、ポストが、筒状のポストアウタとポストアウタ内で回転可能な筒状のポストインナとから構成され、アームを取り付けたヒンジ部材が、ポストインナの上端部に取り付けられたブラケットに回転可能に取り付けられていて、ポストインナをポストアウタ内で回転するとアームが左右方向に揺動し、ヒンジパイプを回転させるとアームが上下方向に揺動するクレーン装置において、ポストインナのポストアウタ内での回転をロックする回転ロック機構を備え、回転ロック機構がポストアウタ内に配設したロック材を有しており、ロック材が、アームの倒伏動作に連動して、ポストアウタの内筒面に押し付けられることを特徴とする。
【００２２】
さらに、本発明のクレーン装置においては、前記回転ロック機構が、ポストインナの上端に取り付けた蓋と、蓋に形成した窓を介してポストインナ内に出入りする第１凸部を備えた支持部材と、支持部材の第１凸部に上端部を固定されていてポストインナ内を貫通しているロッドと、ロッドの下端部に取り付けられているロック材と、ヒンジ部材に形成されており支持部材に開設した凹部内を出入りする第２凸部と、を備え、ポストインナの下端が所望の傾斜角度に設定されていて、ポストインナの下端と対向するロック材の上部には、ポストインナの下端の傾斜角度と同じ角度の傾斜面が形成されており、アームを立ち上げた状態からアームを徐々に倒すと、ヒンジ部材が回転して第２凸部が支持部材の凹部に入り込み、さらにアームを下げると第２凸部が支持部材を持ち上げ、ロック材が、支持部材の上方向への移動に連動して、ポストインナの下端の傾斜に沿ってポストアウタの内筒面側に移動し、ポストアウタの内筒面に押し付けられることを特徴としている。
【発明の効果】
【００２３】
このように、本発明のクレーン装置によれば、回転ロック機構を備えていることにより、アームの格納動作に連動して、ロック材がポストアウタの内筒面と面接触するため、その摩擦力によりポストアウタに対するポストインナの回転、即ちアームの左右方向の揺動を確実に抑制できる。
【００２４】
また、アームをポスト側に倒せば、自動的にポストインナの回転をロックできるので、従来のクレーン装置１００に比して、ポストインナの回転ロックに要する操作者の労力を軽減できる。
【００２５】
特に、従来のクレーン装置１００では大きな力で回転ロックノブ１２７を締めなければポストインナ１２２の回転を確実にロックできなかったが、本発明によればアームを倒せば自動的にロック材がポストアウタの内筒面と面接触して強い力でポストインナの回転をロックできるので、従来のクレーン装置の操作で必要であった労力を要しないことから、力の弱い女性や高齢者でもポストインナのロック作業を容易に行うことができる。
【発明を実施するための最良の形態】
【００２６】
以下、図面に基づいて本発明の実施形態を説明する。
図１は本発明の実施形態に係る回転ロック機構４０を備えたクレーン装置１の断面図であり、図２は回転ロック機構４０の分解斜視図である。
【００２７】
クレーン装置１は、ベースに立設したポスト１０と、ポスト１０に対して揺動可能に支持されるアーム２０と、アーム２０の先端に取り付けたハンガー装置３０と、を備えている。
【００２８】
ポスト１０は、ベースに固定される円筒状のポストアウタ１１と、円筒状のポストインナ１２と、から構成され、ポストインナ１２の断面の大きさがポストアウタ１１よりも小さく設定されていて、ポストインナ１２はポストアウタ１１の中に挿入されている。
【００２９】
アーム２０は、ブラケット２１を介してポスト１０に連結されている。例えば、図２に示すように、ブラケット２１の底面には開口２１Ａが形成されていて、ブラケット２１の下からポストインナ１２を差し込み、ブラケット２１内にポストインナ１２が部分的に入った状態で、ポストインナ１２はスポット溶接などによりブラケット２１に固定されている。
【００３０】
そして、ポストアウタ１１の上端の開口にドライベアリング２２を装着し、ポストアウタ１１の中にポストインナ１２を挿入し、ブラケット２１の底面にポストアウタ１１の上端部を当接させることで、ブラケット２１とポスト１０とが連結される。
【００３１】
さらに、このようにポスト１０の上端部に配設されたブラケット２１には、円筒状のヒンジパイプ２３がヒンジピン２４により回転可能に支持されていて、このヒンジパイプ２３にアーム２０が固定されている。
【００３２】
このような構成により、ポストインナ１２がドライベアリング２２に摺動してポストアウタ１１内で回転することでアーム２０を左右方向に揺動させることができ、さらに、ヒンジパイプ２３を回転させることでアーム２０を上下方向に揺動させることができる。なお、ポストインナ１２のポストアウタ１１内での回転を円滑にするために、ポストアウタ１１の内周面にも、ポストインナ１２の下部に対応したドライベアリング２５が設けられている。
【００３３】
このような構成は従来のクレーン装置１００と同様であるが、本発明の実施形態に係るクレーン装置１は、回転ロック機構４０を備えていることを特徴とする。
【００３４】
回転ロック機構４０は、図２に示すように、ポストインナ１２の上端に取り付けた蓋４１と、この蓋４１に形成した窓４１Ａを介してポストインナ１２内に出入りする第１凸部４２Ａを備えた支持部材４２と、支持部材４２の第１凸部４２Ａに上端部を固定されていてポストインナ１２内を貫通しているロッド４３と、ロッド４３の下端部に固定されているロック材４４と、ヒンジパイプ２３に形成されており支持部材４２に開設された凹部４２Ｂ内を出入りする第２凸部２３Ａと、から構成されている。
【００３５】
蓋４１は支持部材４２を載置するためのものであり、第１凸部４２Ａをポストインナ１２内に挿通した状態で支持部材４２を載置することができるように、窓４１Ａが開設されている。蓋４１に開設されている窓４１Ａは方形状に形成されていて、この窓４１Ａの形に対応して第１凸部４２Ａは直方体或いは立方体として形成されている。このように、窓４１Ａの輪郭に対応して第１凸部４２Ａを形成したことで、ポストインナ１２が回転すると窓４１Ａの周縁が第１凸部４２Ａの側面に当接して、支持部材４２はポストインナ１２と共に回転するようになっている。
【００３６】
支持部材４２は、ロッド４３とロック材４４とを支持するものである。アーム２０を立ち上げたクレーン装置１の使用状態では、支持部材４２は、第１凸部４２Ａを窓４１Ａに挿通して蓋４１に載置されており、ブラケット２１内でヒンジパイプ２３が回転した際に第２凸部２３Ａの回転軌跡上に凹部４２Ｂが位置するように、ブラケット２３内に配置されている。
【００３７】
ロック材４４は、アーム２０を下げたクレーン装置１の格納状態でポストアウタ１１の内筒面に当接するものであり、ロッド４３を介して支持部材４２の動きに連動して上下動するように支持部材４２に吊り下げられている。
【００３８】
第２凸部２３Ａは支持部材４２を持ち上げるためのものであり、ヒンジパイプ２３の表面から突出するように形成されている。また、第２凸部２３Ａは、アーム２０を立ち上げたクレーン装置１の使用状態では、支持部材４２の凹部４２Ｂから離れた位置に配置されている。一方、アーム２０が持ち上げられているクレーン装置１の使用状態からアーム２０を徐々に下げると、ヒンジパイプ２３の回転に伴って支持部材４２の凹部４２Ｂに入り込むように移動する。
【００３９】
さらに、本発明の実施形態に係る回転ロック機構４０では、ポストインナ１２の下端が、円筒状の筒の下部を斜めに切り落としたしたように、所望の傾斜角度に設定されて、楕円状の縁として形成されている。このポストインナ１２の下端と対向するロック材４４の上部には、ポストインナ１２の下端の傾斜角度と同じ角度の傾斜面４４Ａが形成されている。
【００４０】
なお、第１凸部４２Ａが窓４１Ａ内に挿入し支持部材４２が蓋４１に載置した状態では、ポストインナ１２の下端とロック材４４との間には隙間ができるように、ロッド４３の長さが設定されている。後述するように支持部材４２は上方へ持ち上げられて移動するが、支持部材４２の上方への移動可能距離Ｘ（図１参照）は、アーム２０を立ち上げたクレーン装置１の使用状態におけるポストインナ１２の下端とロック材４４との間隔Ｙよりも大きく設定されている。
【００４１】
このように構成された回転ロック機構４０を備えたクレーン装置１の作用について説明する。ここで、図１はアーム２０を立ち上げたクレーン装置１の使用状態を示しており、図３はアーム２０を折り畳んだクレーン装置１の格納状態を示している。
【００４２】
先ず、アーム２０を立ち上げたクレーン装置１の使用状態を格納状態へ変える場合について説明する。
アーム２０をポスト１０側に倒すと、アーム２０の揺動に連動してヒンジパイプ２３が回転する。ヒンジパイプ２３の回転に伴って第２凸部２３Ａも回転し、アーム２０を下方に押し倒し続けると第２凸部２３Ａが支持部材４２の凹部４２Ｂ内に入り込む。そして、アーム２０をポスト１０に最も近接する位置まで折り畳むと、第２凸部２３Ａが支持部材４２を上方向に持ち上げる。
【００４３】
このような支持部材４２の上方向への移動に連動して、ロック材４４も持ち上げられる。ロック材４４は、支持部材４２が上方向に持ち上げられる途中でポストインナ１２の下端に当接する。そして、支持部材４２がさらに持ち上げられると、ロック材４４は、ポストインナ１２の下端の傾斜面に沿って上昇する。
【００４４】
即ち、ロック材４４が持ち上げられるとロック材４４はポストインナ１２の下端に密着し、さらにロック材４４に持ち上げられる力が働くと、ロック材４４はポストインナ１２の下端に案内支持されてポストアウタ１１の内筒面に向けて移動する。
【００４５】
さらに、アーム２０がポスト１０に最も近接する位置まで折り畳まれた際には、ロック材４４はポストアウタ１１の内筒面に強く押しつけられる。このとき、ロック材４４の側面とポストアウタ１１の内筒面とは面接触している。
【００４６】
なお、ロック材４４がポストアウタ１１の内筒面に押し付けられるような力を受けているときに、ポストインナ１２自体は、外筒面がドライベアリング２５に支持されているため、ポストアウタ１１の内筒面に当接することはなく、ポストインナ１２は、ロック材４４をポストアウタ１１の内筒面側に移動するように、位置が固定されてロック材４４の移動をガイドする。
【００４７】
一方、クレーン装置１を使用する場合は、アーム２０を持ち上げると第２凸部２３Ａが回転して支持部材４２の凹部４２Ｂから外れ、支持部材４２が自重により下方に下がる。支持部材４２が下がることに連動してロック材４４も下がり、ロック材４４の外周面がポストアウタ１２の内筒面から離れる。
【００４８】
このように本発明の実施形態に係るクレーン装置１によれば、回転ロック機構４０を備えていることにより、アーム２０の格納動作に連動して、ロック材４４がポストアウタ１１の内筒面と面接触するため、その摩擦力によりポストアウタ１１に対するポストインナ１２の回転、即ちアーム２０の左右方向の揺動を確実に抑制できる。
【００４９】
また、アーム２０をポスト側に倒せば、自動的にポストインナ１２の回転をロックできるので、従来のクレーン装置１００に比して、ポストインナ１２の回転ロックに要する操作者の労力を軽減できる。即ち、アーム２０を格納すると同時に回転ロックも可能なため、操作者の操作回数が従来のクレーン装置１００の操作量に比べて減る。また、従来のクレーン装置１００では大きな力で回転ロックノブ１２７を締めなければポストインナ１２２の回転を確実にロックできなかったが、本発明の実施形態に係るクレーン装置１によればアーム２０を倒せば自動的にロック材４４がポストアウタ１１の内筒面と面接触して強い力でポストインナ１２の回転をロックできるので、従来のクレーン装置１００の操作で必要であった労力を要しないことから、力の弱い女性や高齢者でもポストインナ１２のロック作業を容易に行うことができる。
【００５０】
以上説明したが、本発明は、発明の趣旨を逸脱しな範囲において様々な形態で実施できる。例えば、上記説明では、ポストアウタ１１がベースに立設される場合を例示したが、ポストアウタ１１はベースを介さずに車両のボディやデッキフロアに固定されてもよいことは勿論である。
【００５１】
また、上記説明では、ポストアウタ１１とポストインナ１２とが、円筒状に形成される場合を説明したが、ポストアウタ１１とポストインナ１２とはそのような形状に限定されるものではなく、ポストインナがポストアウタ内で回転可能なものとして、両者が筒状に形成されていればよい。その場合に、ポストインナの外面とポストアウタの内面とが円筒として形成されるのが望ましい。
【００５２】
また、上記説明では、クレーン装置１の使用状態時にはポストインナ１２の下端とロック材４４との間に隙間がある場合を例示したが、ポストインナ１２の下端とロック材４４の上部の傾斜角度を大きくしてロック材４４のポストインナ１２の下端との摺動距離を長く設定すれば、該隙間を設定せずにクレーン装置の使用状態においてロック材４４とポストインナ１２とが当接していてもよい。
【００５３】
なお、上記の説明では、ポストインナ１２の回転ロックについて詳述したが、本発明の実施形態に係るクレーン装置は、従来のクレーン装置１００と同様に、アーム２０の上下方向の揺動を規制する揺動ロック機構１３５を備えていてもよいことは勿論であり、例えば、ロックレバー１３５Ａがロック凹部１３３Ｂに係合することによりアーム２０を下げた格納状態時に、ロック材４４がポストアウタ１１の内筒面に面接触するように構成してもよい。
【００５４】
さらに、上記説明では、ロック材４４の材質を特に限定せずに説明したが、ロック材４４をゴムなどの弾性材料により構成すると、ポストアウタ１１の内筒面との密着度合いが高まるので、好ましい。
【００５５】
また、上記説明では、第２凸部２３Ａに対応した支持部材４２の凹部４２Ｂを、図１に示すように、貫通穴として形成される場合を例示したが、このような形状に限らず、凹部４２Ｂは窪み等として形成されてもよい。
【００５６】
また、上記説明では、支持部材４２がブロック状に形成される場合を例示したが、図示した形状に限定されるものではなく、ポストインナ１２の回転に伴ってポストインナ１２と共に回転するように、ポストインナ１２に取り付けた蓋４１の窓４１Ａとの関連で形作られているものであればよいことは勿論である。
【００５７】
上記説明では、ヒンジパイプ２３が図２に示すように円筒状に形成される場合を示したが、ブラケット２１に回転可能に取り付けられ、アームを固定するヒンジ部材は、ヒンジパイプに限らず、他の形状に形成されていてもよい。
【００５８】
また、上記の説明では、アーム２０の先端にハンガー装置３０を取り付けたクレーン装置１を例示したが、回転ロック機構４０を適用するクレーン装置は、実施形態で挙げたクレーン装置１に限定されるものではないことは勿論であり、例えば、アームの先端にハンガー装置３０を設ける代わりに、ワイヤーを巻回したリールと、該リールを回転させるモーターとをポスト１０やアーム２０とは別に装置外に設け、リールから引き出したワイヤーをポスト１０の下から挿入し、ポスト１０及びアーム２０内を挿通させて、アーム２０の先端から引き出した端部にフックを取り付けたようなクレーン装置であってもよい。
【００５９】
また、上記では、クレーン装置１との関連で従来のクレーン装置１００を車椅子の収納作業に利用する場合を例示したが、本発明のクレーン装置は、車椅子収納作業にその用途を限定されるものではなく、その他の物品の収納用等にも利用できるのは勿論である。
【図面の簡単な説明】
【００６０】
【図１】本発明の実施形態に係る回転ロック機構を備えたクレーン装置の断面図であり、アームを立ち上げたクレーン装置の使用状態を示している。
【図２】本発明の実施形態に回転ロック機構の分解斜視図である。
【図３】本発明の実施形態に係る回転ロック機構を備えたクレーン装置の断面図であり、アームを下げたクレーン装置の格納状態を示している。
【図４】従来のクレーン装置を示す斜視図である。
【図５】従来のクレーン装置の揺動ロック機構の構成例を示す図である。
【図６】従来のクレーン装置の断面図であり、アームを下げたクレーン装置の格納状態を示している。
【符号の説明】
【００６１】
１  クレーン装置
１０  ポスト
１１  ポストアウタ
１２  ポストインナ
２０  アーム
２１  ブラケット
２１Ａ  開口
２２，２５  ドライベアリング
２３  ヒンジパイプ
２３Ａ  第２凸部
２４  ヒンジピン
３０  ハンガー装置
４０  回転ロック機構
４１  蓋
４１Ａ  窓
４２  支持部材
４２Ａ  第１凸部
４２Ｂ  凹部
４３  ロッド
４４  ロック材
４４Ａ  傾斜面
１３３Ｂ  ロック凹部
１３５  揺動ロック機構
１３５Ａ  ロックレバー
m
【図１】
2006160436.tif 000003
【図２】
2006160436.tif 000004
【図３】
2006160436.tif 000005
【図４】
2006160436.tif 000006
【図５】
2006160436.tif 000007
【図６】
2006160436.tif 000008